(57)【要約】      （修正有）【課題】電流検出器の特性を測定することにより、該電流検出器で検出される零相電流の特性変化を踏まえて入力許容電流の範囲を判定することができる電流検出器の特性測定装置を提供する。【解決手段】電流検出器に入力する入力電流発生回路２と、電流検出器の特性を判定する特性判定回路３とを備え、入力電流発生回路２は、異なる電流値からなる複数の値から選択可能な入力電流選択部を備え、特性判定回路３は、入力電流ごとに電流検出器により検出された零相電流の検出値を受信する検出値受信部と、電流検出器により検出される零相電流の検出値と、電流検出器に設定されている検出されるべき零相電流の設定値と、の差分である零相電流の差分値を算出する差分算出部と、差分算出部によって算出された零相電流の差分値の大きさから、電流検出器により検出される零相電流として許容可能である入力許容電流の大きさを判定する判定部と、を備える。【選択図】図２
2013127421.tif 000002
【特許請求の範囲】
【請求項１】
電線路を流れる電流の零相電流を検出する電流検出器の特性を測定するための電流検出器の特性測定装置であって、
前記電流検出器に入力する入力電流を発生させる入力電流発生回路と、電流検出器の特性を判定する特性判定回路と、を備え、
前記入力電流発生回路は、発生させる入力電流の電流値を異なる電流値からなる複数の値から選択可能な入力電流選択部を備え、
前記特性判定回路は、
入力電流選択部により選択された入力電流ごとに電流検出器により検出された零相電流の検出値を受信する検出値受信部と、
電流検出器に入力される入力電流ごとに、電流検出器により検出される零相電流の検出値と、電流検出器に設定されている検出されるべき零相電流の設定値と、の差分である零相電流の差分値を算出する差分算出部と、
電流検出器に入力された入力電流のうち、差分算出部によって算出された零相電流の差分値の大きさから、電流検出器により検出される零相電流として許容可能である入力許容電流の大きさを判定する判定部と、を備えることを特徴とする電流検出器の特性測定装置。
【請求項２】
前記入力電流選択部は、入力電流を遮断する入力電流遮断部を備え、
前記特性判定回路は、入力電流発生回路が入力電流を発生させているときに電流検出器から検出される第１の零相電流の検出値と、入力電流遮断部によって入力電流が遮断されているときに電流検出器から検出される第２の零相電流の検出値と、の差分を零相電流の検出値として補正した零相電流の補正値を、電流検出器に入力される入力電流ごとに算出する検出値補正部を備える請求項１に記載の電流検出器の特性測定装置。
【発明の詳細な説明】
【技術分野】
【０００１】
本発明は、電線路を流れる電流の零相電流を検出する電流検出器の特性を測定するための電流検出器の特性測定装置に関する。
【背景技術】
【０００２】
従来から、２回線以上の配電線を有する配電システムには、図９に示すように、地絡事故を起こした配電線路を特定するために、電圧と電流との値を監視して地絡電流の流れる向き（方向）を検出可能な地絡方向継電器ＤＧが設けられている。この地絡方向継電器ＤＧは、母線に接続される接地用変圧器ＧＰＴから検出される零相電圧Ｖ０と、各配電線路に接続される電流検出器としての零相変流器ＺＣＴから検出される地絡電流Ｉ０と、に基づいて動作する。
【０００３】
ところが、配電線路が延長されたり、架空電線路から地中電線路に変更されるなどの配電線路の電気的な特性が変わること（経年変化）により、地絡方向継電器ＤＧは、その動作特性に影響を受けることがある。そこで、この地絡方向継電器ＤＧに用いられる零相変流器ＺＣＴには、定期的にその検出する地絡電流Ｉ０の特性を測定して、その特性の変化を監視するための零相変流器ＺＣＴの特性測定装置が設けられている（特許文献１参照）。
【先行技術文献】
【特許文献】
【０００４】
【特許文献１】特開平０７−０３１０４９号公報
【発明の概要】
【発明が解決しようとする課題】
【０００５】
しかし、図１０に示すように、配電線路の対地静電容量Ｃが増加すると、測定される零相変流器ＺＣＴの零相電流の検出値Ｉ０２は、零相変流器ＺＣＴの巻線比（変流比）等により設定されている検出されるべき零相電流の設定値Ｉ０１ｓとの差分（零相電流の位相差θ又は大きさ（振幅値））が大きくなることがある。
【０００６】
具体的には、零相変流器ＺＣＴで検出される零相電流の検出値Ｉ０２は、経年変化する前の零相電流の設定値Ｉ０１ｓと比較して、経年変化で対地静電容量Ｃが増加した影響により、位相θが進み側にずれた値となる。また、零相電流Ｉ０２の大きさは、零相電流の設定値Ｉ０１ｓの大きさと比較して、残留電流が加わって増加した大電流を形成する。
【０００７】
この結果、経年変化前の零相電流の設定値Ｉ０１ｓでは、地絡方向継電器ＤＧの動作範囲に入るため地絡を検出可能であるはずにもかかわらず、経年変化後の零相電流Ｉ０２では、位相θが進み側にずれることにより地絡方向継電器ＤＧの動作範囲から外れることになり、更に検出される零相電流Ｉ０が増加しなければ、地絡が検出されない状態となる（検出感度が低下する）。
【０００８】
このように、零相変流器ＺＣＴは、経年変化に伴って検出される零相電流の検出値Ｉ０２の特性（位相θ及び大きさ）が変化するため、その特性の変化を踏まえてその零相電流の検出値Ｉ０２を判定しなければならない。そこで、零相変流器ＺＣＴで検出される零相電流Ｉ０２は、経年変化前の零相電流の設定値Ｉ０１ｓと比較して特性が変化した後の値として許容可能な入力許容電流の範囲で利用しなければならない。
【０００９】
よって、本発明は、かかる事情に鑑み、電流検出器の特性を測定することにより、該電流検出器で検出される零相電流の特性変化を踏まえて入力許容電流の範囲を判定することができる電流検出器の特性測定装置を提供することを課題とする。
【課題を解決するための手段】
【００１０】
本発明に係る電流検出器の特性測定装置は、電線路を流れる電流の零相電流を検出する電流検出器の特性を測定するための電流検出器の特性測定装置であって、前記電流検出器に入力する入力電流を発生させる入力電流発生回路と、電流検出器の特性を判定する特性判定回路と、を備え、前記入力電流発生回路は、発生させる入力電流の電流値を異なる電流値からなる複数の値から選択可能な入力電流選択部を備え、前記特性判定回路は、入力電流選択部により選択された入力電流ごとに電流検出器により検出された零相電流の検出値を受信する検出値受信部と、電流検出器に入力される入力電流ごとに、電流検出器により検出される零相電流の検出値と、電流検出器に設定されている検出されるべき零相電流の設定値と、の差分である零相電流の差分値を算出する差分算出部と、電流検出器に入力された入力電流のうち、差分算出部によって算出された零相電流の差分値の大きさから、電流検出器により検出される零相電流として許容可能である入力許容電流の大きさを判定する判定部と、を備えることを特徴とする。
【００１１】
かかる構成によれば、特性判定回路は、零相電流の設定値からの特性の変化を零相電流の差分値として差分算出部で算出し、判定部がこの差分値の大きさから電流検出器により検出される零相電流として許容可能な入力許容電流の範囲を判定することができる。
【００１２】
また、本発明によれば、前記入力電流選択部は、入力電流を遮断する入力電流遮断部を備え、前記特性判定回路は、入力電流発生回路が入力電流を発生させているときに電流検出器から検出される第１の零相電流の検出値と、入力電流遮断部によって入力電流が遮断されているときに電流検出器から検出される第２の零相電流の検出値と、の差分を零相電流の検出値として補正した零相電流の補正値を、電流検出器に入力される入力電流ごとに算出する検出値補正部を備えることが好ましい。
【００１３】
かかる構成によれば、特性判定回路は、入力電流を電流検出器に入力する前に電流検出器から検出された零相電流の検出値である第２の零相電流の検出値で補正された零相電流の検出値（補正値）に基づいて、零相電流の差分値を算出可能であり、より特性の変化の影響を受けていない正確な検出値に基づき入力許容電流の範囲を判定することができる。
【発明の効果】
【００１４】
以上の如く、本発明に係る電流検出器の特性測定装置によれば、電流検出器の特性を測定することにより、該電流検出器で検出される零相電流の特性変化を踏まえて入力許容電流の範囲を判定することができるという優れた効果を奏する。
【図面の簡単な説明】
【００１５】
【図１】本発明の一実施形態に係る配電システムの全体回路図である。
【図２】同実施形態に係る零相変流器の特性測定装置の全体回路図である。
【図３】同実施形態に係る零相変流器の特性測定装置の一部の回路図であって、（ａ）は、リレー制御部の回路図であり、（ｂ）は、リレー回路の回路図である。
【図４】同実施形態に係る零相変流器の特性測定装置の電流判定回路の回路図である。
【図５】同実施形態に係る零相変流器の特性測定装置の入力電流発生回路の制御に関するフローチャートである。
【図６】同実施形態に係る零相変流器の特性測定装置の電流判定回路の制御に関するフローチャートである。
【図７】同実施形態に係る零相変流器の特性測定装置の電流判定回路の制御に関するフローチャートである。
【図８】同実施形態に係る零相変流器の特性測定装置の電流判定回路の制御に関するフローチャートである。
【図９】従来技術の零相変流器の特性測定装置の全体回路図である。
【図１０】従来技術の零相変流器によって検出される零相電流の特性を説明するベクトル図である。
【発明を実施するための形態】
【００１６】
本発明の一実施形態に係る電流検出器の特性測定装置について、図１〜図８を参照しつつ説明する。なお、本実施形態に係る電流検出器は、零相変流器である例を説明する。そして、この零相変流器は、地絡方向継電器に零相電流を入力するために配電システムに設けられる例を説明する。そこで、本実施形態に係る電流検出器の特性測定装置の説明の前に、この特性測定装置が設けられる配電システムについて説明する。
【００１７】
配電システムは、図１に示すように、変電所から２回線で配電され、配電線路の両端を結合開閉器ＤＭ９１〜９３で接続してループ状に形成するループ配電方式である。配電システムは、変電所から配電される２回線の第１及び第２の配電線路Ｂ１，Ｂ２と、各配電線路Ｂ１，Ｂ２からそれぞれ分岐されて、各需要設備Ｌ３１〜Ｌ８３に電力を供給する第１〜第６の分岐電線路Ｂ３〜Ｂ８と、を備える。各電線路Ｂ１〜Ｂ８には、遮断器ＣＢ１〜ＣＢ８が設けられている。よって、各電線路Ｂ１〜Ｂ８は、電力の供給を遮断することができるように構成されている。分岐電線路Ｂ３〜Ｂ８は、各需要設備Ｌ３１〜Ｌ８３を区分するための区分開閉器ＤＭ３１〜ＤＭ８２と、各分岐電線路Ｂ３〜Ｂ８を結合する結合開閉器ＤＭ９１〜ＤＭ９３と、を備える。各電線路Ｂ１〜Ｂ８には、それぞれ対地静電容量Ｃ３１〜Ｃ８３が含まれる。
【００１８】
この配電システムでは、例えば、第１の分岐電線路Ｂ３のＦ点で地絡が発生した場合、配電線路Ｂ１，Ｂ２の遮断器ＣＢ１Ｂ，ＣＢ２Ｂが遮断されるとともに、地絡が発生した箇所を特定して、健全な配電線路Ｂ１，Ｂ２及び分岐電線路Ｂ３〜Ｂ８を特定して、給電を再開できるように制御する。
【００１９】
ここで、配電システムは、地絡方向継電器でその地絡箇所を特定する。配電システムは、地絡方向継電器の地絡を検知する感度により、第１の分岐配電線路Ｂ３の遮断器ＣＢ３と区分開閉器ＤＭ３１との間の電線路の区間（以下、単に「第１の遮断区間」と略する）、第１の分岐配電線路Ｂ３（の遮断器ＣＢ３）と第４の分岐配電線路Ｂ６（の遮断器ＣＢ６）との間の電線路の区間（以下、単に「第２の遮断区間」と略する）、又は、第１の分岐配電線路Ｂ３〜第８の分岐配電線路Ｂ８の電線路の区間（以下、単に「第３の遮断区間」と略する）から選択して給電を再開する。
【００２０】
次に、本実施形態に係る零相変流器の特性測定装置の構成について、図１〜図４を参酌しつつ説明する。
【００２１】
本実施形態に係る零相変流器の特性測定装置１は、図２に示すように、零相電流Ｉ０を検出する第１〜第３の零相変流器（本発明の「電流検出器」に相当）ＺＣＴ１〜ＺＣＴ３と、零相電圧Ｖ０を検出する接地用変圧器ＧＰＴと、地絡時の過電圧を検出する地絡過電圧継電器６４Ｖ１，６４Ｖ２と、地絡を起こした電線路を順次遮断する地絡順序遮断装置１０Ｇと、地絡電流Ｉ０の流れる向き（方向）を検出する地絡方向継電器ＤＧとともに配電システムに設けられる。
【００２２】
特性測定装置１は、電線路を流れる電流の零相電流Ｉ０を検出する零相変流器ＺＣＴの特性を測定するために設けられる。なお、ここでいう零相変流器ＺＣＴの特性とは、零相変流器ＺＣＴで検出される零相電流Ｉ０の位相及び大きさ（振幅又は波高値）の値であり、特に、零相電流Ｉ０の位相のことである。具体的には、零相変流器ＺＣＴの特性とは、検出される零相電流の検出値と、零相変流器ＺＣＴの巻線比等により１次側電線路に流れる入力電流に対する２次側電線路に流れる出力電流（零相電流Ｉ０）の値である零相電流Ｉ０の設定値Ｉ０ｓと、の差分値（比誤差）である。
【００２３】
特性測定装置１は、零相変流器ＺＣＴに入力する入力電流Ｉｉｎを発生させる入力電流発生回路２と、零相変流器ＺＣＴの零相電流Ｉ０の特性を判定する電流判定回路３（本発明の「特性判定回路」に対応）と、電流判定回路３で判定された結果を表示する表示装置４と、を備える。
【００２４】
入力電流発生回路２は、発生させる入力電流Ｉｉｎの電流値が異なる複数の値から選択可能な入力電流選択部２１（図３（ａ）及び図３（ｂ）参照）と、零相変流器ＺＣＴの零相電流Ｉ０の特性を判定するために、零相変流器ＺＣＴに入力する入力電流Ｉｉｎを流す入力電流供給線路２２と、入力電流選択部２１の入力電流Ｉｉｎの選択に基づいて入力電流供給線路２２に入力電流Ｉｉｎを流す入力電流発生部２３と、を備える。
【００２５】
入力電流選択部２１は、図３（ａ）及び図３（ｂ）に示すように、入力電流供給線路２２に流す入力電流Ｉｉｎを選択してリレーを制御するリレー制御部２４と、該リレー制御部２４に接続されて、各入力電流供給線路２２に設けられる入力電流発生部２３の接点を切り換えるリレー回路２５と、を備える。
【００２６】
リレー制御部２４は、地絡過電圧継電器のリレー接点（ａ接点）６４Ｖ１−１と、リレー回路２５に対して選択された入力電流Ｉｉｎに対応したリレー接点を動作させる第１〜第３のリレーＲｙ１〜Ｒｙ３と、リレー接点６４Ｖ１−１の動作を受け付け、且つ、第１〜第３のリレーＲｙ１〜Ｒｙ３を制御する制御部２４ａと、を備える。
【００２７】
リレー接点６４Ｖ１−１は、常時開路（オフ）状態にあり、地絡過電圧継電器６４Ｖ１が地絡過電圧を検出したときに閉路（オン）する。リレー接点６４Ｖ１−１が閉路されると、制御部２４ａは、地絡過電圧を検出する。
【００２８】
第１〜第３のリレーＲｙ１〜Ｒｙ３は、それぞれ異なる３つの入力電流Ｉｉｎをリレー回路２５を介して入力電流発生部２３に発生させるために設けられている。第１のリレーＲｙ１は、最も低い電流値である第１の電流（小電流）Ｉｉｎ１を入力電流発生部２３に発生させるときに動作（閉路：オン）する。第３のリレーＲｙ３は、最も高い電流値である第３の電流（大電流）Ｉｉｎ３を入力電流発生部２３に発生させるときに動作（閉路：オン）する。第２のリレーＲｙ２は、第１のリレーＲｙ１と第３のリレーＲｙ３との間の電流値である第２の電流（中電流）Ｉｉｎ２を入力電流発生部２３に発生させるときに動作（閉路：オン）する。
【００２９】
制御部２４ａは、特性判定回路３からの制御信号に基づき、入力電流発生部２３で発生させる入力電流Ｉｉｎを選択して発生させるべく、第１〜第３のリレーＲｙ１〜Ｒｙ３の開閉制御を行う。制御部２４ａは、特性判定回路３からの制御信号に基づき、零相変流器ＺＣＴの零相電流Ｉ０の補正値を検出するときは、第１〜第３のリレーＲｙ１〜Ｒｙ３を遮断する。つまり、制御部２４ａは、本発明の入力電流遮断部としても機能する。
【００３０】
また、地絡過電圧継電器６４Ｖ１が動作しているとき（地絡過電圧が検出されているとき）は、地絡検出を優先して零相変流器ＺＣＴの特性測定を保留するために、第１〜第３のリレーＲｙ１〜Ｒｙ３を遮断する。
【００３１】
つまり、制御部２４ａは、下記の表１のように、第１〜第３のリレーＲｙ１〜Ｒｙ３を開閉制御する。
【表１】
2013127421.tif 000003
【００３２】
リレー回路２５は、図３（ｂ）に示すように、第１〜第３のリレーのリレー接点（ａ接点）Ｒｙ１−１〜Ｒｙ３−１と、これらのリレー接点Ｒｙ１−１〜Ｒｙ３−１の動作に応じて入力電流発生部２３に所定の入力電流Ｉｉｎを発生させるためのリレー接点を動作させるための第４〜第６のリレーＲｙ４〜Ｒｙ６と、リレー接点Ｒｙ１−１〜Ｒｙ３−１が閉路（オン）しているときに第４〜第６のリレーＲｙ４〜Ｒｙ６に電流を供給する制御電源ＤＣと、を備える。
【００３３】
入力電流供給線路２２は、図２に示すように、１又は複数の零相変流器ＺＣＴに入力電流Ｉｉｎを入力する電線路である。具体的には、入力電流供給線路２２は、零相変流器ＺＣＴの分岐電線路Ｂ３〜Ｂ５（一次導体）をそれぞれ挿入している鉄心の穴に分岐電線路Ｂ３〜Ｂ５とともに挿入して閉回路を形成する電線路である。このようにして、鉄心の穴に挿入された複数の零相変流器ＺＣＴは、入力電流供給線路２２によって、同時に入力電流Ｉｉｎが入力可能に構成される。また、入力電流供給線路２２は、この又はこれらの零相変流器ＺＣＴに常時設置されるため、常時特性を測定するために入力電流Ｉｉｎを入力することができる。本実施形態に係る入力電流供給線路２２は、３回線の分岐電線路Ｂ３〜Ｂ５のそれぞれに設けられる３つの零相変流器ＺＣＴ１〜ＺＣＴ３に設けられ、これらの零相変流器ＺＣＴの特性を同時に測定する例を説明する。
【００３４】
入力電流発生部２３は、零相変流器ＺＣＴに対して供給する入力電流Ｉｉｎを供給可能な容量を有する交流電源ＡＣと、第４〜第６のリレーのリレー接点Ｒｙ４−１〜Ｒｙ６−２と、各第４〜第６のリレーのリレー接点Ｒｙ４−１〜Ｒｙ６−２と直列に設けられ、各第４〜第６のリレーのリレー接点Ｒｙ４−１〜Ｒｙ６−２が閉路（オン）したときに入力電流供給線路２２に供給する入力電流Ｉｉｎとなるように設定された抵抗値を有する第１〜第３の抵抗Ｒ４〜Ｒ６と、を備える。入力電流発生部２３は、入力電流選択部２１による第４〜第６のリレーのリレー接点Ｒｙ４−１〜Ｒｙ６−２の動作により、入力電流供給線路２２に流れる入力電流Ｉｉｎを発生させる。
【００３５】
電流判定回路３は、図４に示すように、入力電流選択部２１により選択された入力電流Ｉｉｎごとに零相変流器ＺＣＴにより検出された零相電流Ｉ０の検出値を受信するアナログ入力部５（本発明の「検出値受信部」に相当）と、零相電流の補正値ΔＩ０ｃを算出する検出値補正部６と、零相電流の差分値ΔＩ０を算出する差分算出部７と、零相変流器ＺＣＴにより検出される零相電流Ｉ０として許容可能である入力許容電流Ｉｉｎｏの大きさを判定する判定部８と、データを記憶するＲＡＭ９１、ＲＯＭ９２及びバッファ９３と、表示装置４を制御する表示制御部９４と、デジタル信号の入力を受け付けるインターフェースであるＤ／Ｉ（デジタル入力端子）９５，…と、デジタル信号を出力するインターフェースであるＤ／Ｏ（デジタル出力端子）９６，…と、各装置間の信号の送受信を行うバス（伝送路）９７と、を備える。なお、検出値補正部６と差分算出部７と判定部８とは、ＭＰＵ（マイクロプロセッサ）で動作する。
【００３６】
アナログ入力部５は、入力電流供給線路２２から入力電流Ｉｉｎの入力を受け付け及び零相変流器ＺＣＴから零相電流Ｉ０の入力を受け付ける入力変換器５１，…と、入力変換器５１，…に入力された入力電流Ｉｉｎ及び零相電流Ｉ０に含まれる高調波成分等の誤差要因を取り除くバンドパスフィルタ（ＢＰＦ）５２，…と、所定のサンプリング周波数でＢＰＦ５２，…から入力された入力電流Ｉｉｎ及び零相電流Ｉ０をサンプリングして保持するサンプリングホールド回路（Ｓ／Ｈ回路）５３，…と、Ｓ／Ｈ回路５３，…に保持されている入力電流Ｉｉｎ及び零相電流Ｉ０を切り換えて取り出すマルチプレクサ回路（信号切換回路；ＭＰＸ回路）５４と、ＭＰＸ回路５４で取り出した入力電流Ｉｉｎ及び零相電流Ｉ０（アナログ信号）をディジタル信号に変換するＡ／Ｄ変換器５５と、を備える。
【００３７】
入力変換部５１，…は、入力電流供給線路２２に流れる入力電流Ｉｉｎを受け付ける第１の入力変換部５１ａと、第１〜第３の分岐回路Ｂ１〜Ｂ３ごとに設けられる第１〜第３の零相変流器ＺＣＴ１〜ＺＣＴ３から検出される零相電流Ｉ０を受け付ける第２の入力変換部５１ｂ，…と、を備える。
【００３８】
検出値補正部６は、第１の入力変換部５１ａから検出された入力電流Ｉｉｎから零相電流の設定値Ｉ０ｓを算出する第１の補正部６１と、第２の入力変換部５１ｂから検出された零相電流Ｉ０からそれぞれの分岐回路Ｂ，…が有する残留電流（対地静電容量による充電電流）を補償した補正値ΔＩ０ｃを算出する第２補正部６２と、を備える。
【００３９】
第１の補正部６１は、零相変流器ＺＣＴごとに設定されている仕様値（巻線比など）に基づき、入力電流Ｉｉｎから各零相変流器ＺＣＴにより検出されるべき零相電流の設定値Ｉ０ｓを算出する。
【００４０】
第２の補正部６２は、入力電流発生回路２３が入力電流Ｉｉｎを発生させているときに零相変流器ＺＣＴから検出される第１の零相電流の検出値Ｉ０ａと、リレー制御部２４によって入力電流Ｉｉｎが遮断されているときに零相変流器ＺＣＴから検出される第２の零相電流の検出値Ｉ０ｂと、の差分を零相電流の検出値として補正した零相電流の補正値ΔＩ０ｃを、零相変流器ＺＣＴに入力される入力電流Ｉｉｎごとに算出する。
【００４１】
差分算出部７は、零相変流器ＺＣＴに入力される入力電流Ｉｉｎごとに、零相変流器ＺＣＴにより検出される零相電流の補正値ΔＩ０ｃと、零相変流器ＺＣＴに設定されている検出されるべき零相電流の設定値Ｉ０ｓと、の差分である零相電流の差分値ΔＩ０を算出する。
【００４２】
判定部８は、零相変流器ＺＣＴに入力された入力電流Ｉｉｎのうち、差分算出部７によって算出された零相電流Ｉ０の差分値ΔＩ０の大きさから、零相変流器ＺＣＴにより検出される零相電流Ｉ０として許容可能である入力許容電流Ｉｉｎｏの大きさを判定する。本実施形態に係る入力許容電流Ｉｉｎｏは、入力電流選択部２１で選択され、入力電流発生部２３で発生させる、第１の電流（小電流）Ｉｉｎ１、第２の電流（中電流）Ｉｉｎ２、第３の電流（大電流）Ｉｉｎ３とする。
【００４３】
ＲＡＭ９１は、アナログ入力部５，検出値補正部６，差分算出部７，判定部８などと接続されて、これらに必要なデータを記憶する。具体的には、ＲＡＭ９１は、アナログ入力部５から入力された零相電流の検出値（第１の検出値Ｉ０ａ，第２の検出値Ｉ０ｂ）、検出値補正部６で算出された零相電流の補正値ΔＩ０ｃ、差分算出部７で算出された零相電流の差分値ΔＩ０、及び判定部８で判定された入力許容電流Ｉｉｎ０などを、記憶して、必要に応じて読み出すことができるよう構成されている。
【００４４】
ＲＯＭ９２は、アナログ入力部５，検出値補正部６，差分算出部７，判定部８などと接続されて、これらを動作させるプログラムなどを記憶する。
【００４５】
バッファ９３は、アナログ入力部５，検出値補正部６，差分算出部７，判定部８などと接続されて、これらに必要なデータを一時的に記憶する。
【００４６】
表示制御部９４は、表示装置４を表示するための制御回路であり、判定部８によって判定された結果、つまり、零相変流器ＺＣＴの特性測定の結果などを表示装置４に出力する。
【００４７】
Ｄ／Ｉ（デジタル入力端子）９５，…は、主に、第４〜第６のリレーのリレー接点Ｒｙ４−３〜Ｒｙ６−３の開閉信号（オン・オフ信号）の入力を受け付けるためのインターフェースである。
【００４８】
Ｄ／Ｏ（デジタル出力端子）９６，…は、主に、判定部８の判定結果に基づき、遮断器ＣＢ，…の投入・遮断を制御するために、遮断器操作信号を出力するためのインターフェースである。
【００４９】
バス（伝送路）９７は、Ａ／Ｄ変換器５５、ＲＡＭ９１、ＲＯＭ９２、バッファ９３、ＭＰＵ、表示制御部９４、Ｄ／Ｉ９５，…、Ｄ／Ｏ９６，…との間の信号のやり取りを行うための伝送路である。
【００５０】
表示装置４は、表示制御部９４に接続されて、判定部８によって判定された結果（入力許容電流）を表示するディスプレイなどである。表示装置４は、ＲＡＭ９１から零相電流の検出値（第１の検出値Ｉ０ａ，第２の検出値Ｉ０ｂ）、補正値ΔＩ０ｃ、差分値ΔＩ０及び入力許容電流Ｉｉｎ０を読み出して、各値の推移をグラフ表示できるようにも構成されており、零相変流器ＺＣＴの交換タイミング及び故障予測に利用できる。
【００５１】
次に、本実施形態に係る零相変流器の特性測定装置の動作について、主に、図５〜図８を参酌しつつ説明する。特性測定装置１は、まず、零相変流器ＺＣＴの特性を測定するために、零相変流器ＺＣＴに地絡電流を模擬した入力電流Ｉｉｎを入力する。そして、その零相変流器ＺＣＴは、入力された入力電流Ｉｉｎを測定して、零相電流Ｉ０を検出する。この測定は、入力電流Ｉｉｎを入力電流供給線路２２に入力する前と、第１の電流Ｉｉｎ１を入力した後と、第２の電流Ｉｉｎ２を入力した後と、第３の電流Ｉｉｎ３を入力した後とである。そして、電流判定回路３は、零相変流器ＺＣＴから検出された零相電流Ｉ０からその特性を測定する。そこで、入力電流発生回路２３で入力電流Ｉｉｎを発生させる制御について、図５を参酌しつつ説明し、その後に、電流判定回路３で零相変流器ＺＣＴが検出した零相電流Ｉ０からその特性を測定する制御について、図６〜図８を参酌しつつ説明する。
【００５２】
まず、入力電流Ｉｉｎを発生させる制御（入力電流発生回路２の制御）について、図５を参酌しつつ説明する。零相変流器ＺＣＴは、定期的に零相変流器ＺＣＴの特性を自動的に測定するように構成されている。電流判定回路３は、零相変流器ＺＣＴの特性を測定する時間になる（ステップＳ１）と、入力電流発生回路２に入力電流Ｉｉｎを発生させるために、入力電流発生回路２の制御部２４ａに制御信号を送信する。
【００５３】
入力電流発生回路２では、電流判定回路３からの制御信号により、入力電流Ｉｉｎを発生させる準備を開始する。つまり、入力電流発生回路２は、零相変流器ＺＣＴの特性を測定する条件である地絡過電圧が発生していないかを地絡過電圧継電器６４Ｖ１が動作しているか否かで判断する（ステップＳ２）。
【００５４】
地絡過電圧継電器６４Ｖ１が動作している（つまり、地絡が発生している）とき（Ｓ２でＹＥＳのとき）、入力電流選択部２１のリレー制御部２４（の制御部２４ａ）は、５分間の待機状態に移行する（ステップＳ３）。この５分間は、地絡が発生した分岐電線路Ｂ３〜Ｂ５の特定ができなかったときに、地絡順序遮断装置１０Ｇによる切り分けによる特定を行うのに必要な処理時間を基に設定されている。そして、５分後、再び、地絡過電圧継電器６４Ｖ１が動作しているか否かで判断する（Ｓ２）。地絡過電圧継電器６４Ｖ１の動作が停止するまで、この処理を繰り返す。
【００５５】
地絡過電圧継電器６４Ｖ１が動作していないとき（Ｓ２でＮＯのとき）、入力電流選択部２１のリレー制御部２４（の制御部２４ａ）は、小電流に対応する第１のリレーＲｙ１を０．１秒間動作させるとともに、地絡方向継電器ＤＧ１〜ＤＧ３を０．１秒間ロック（動作無効化）させる（ステップＳ４）。第１のリレーＲｙ１が動作することにより、第１のリレーＲｙ１のリレー接点Ｒｙ１−１が動作し、これに連動して、リレー回路２５の第４のリレーＲｙ４のリレー接点Ｒｙ４−１，Ｒｙ４−２が動作する。よって、入力電流供給線路２２が閉回路を形成し、回路内に第１の電流（小電流）Ｉｉｎ１が流れる（０．１秒間）。
【００５６】
なお、このとき、地絡方向継電器ＤＧ１〜ＤＧ３は、ロックされているため、第１の電流Ｉｉｎ１が零相変流器ＺＣＴに流れて零相電流Ｉ０１が検出されても誤動作しないようになっている。また、このロックされている時間が０．１秒間であるため、地絡が０．１秒以上継続して起こる地絡事故は、特性測定中であっても検出できるようになっている。
【００５７】
そして、入力電流選択部２１のリレー制御部２４（の制御部２４ａ）は、１分間の待機状態に移行する（ステップＳ５）。この１分間の間に、電流判定回路３は、零相変流器ＺＣＴの特性判定のために、零相変流器ＺＣＴから検出された零相電流Ｉ０をＲＡＭ９１又はバッファ９３に記憶する処理を行う。
【００５８】
入力電流発生回路２は、再び、地絡過電圧が発生していないかを地絡過電圧継電器６４Ｖ１が動作しているか否かで判断する（ステップＳ６）。地絡過電圧継電器６４Ｖ１が動作しているとき（Ｓ６でＹＥＳのとき）、入力電流選択部２１のリレー制御部２４は、５分間の待機状態に移行する（ステップＳ７）。そして、５分後、再び、地絡過電圧継電器６４Ｖ１が動作しているか否かで判断する（Ｓ６）。地絡過電圧継電器６４Ｖ１の動作が停止するまで、この処理を繰り返す。
【００５９】
地絡過電圧継電器６４Ｖ１が動作していないとき（Ｓ６でＮＯのとき）、入力電流選択部２１のリレー制御部２４は、中電流に対応する第２のリレーＲｙ２を０．１秒間動作させるとともに、地絡方向継電器ＤＧ１〜ＤＧ３を０．１秒間ロックさせる（ステップＳ８）。第２のリレーＲｙ２が動作することにより、第２のリレーＲｙ２のリレー接点Ｒｙ２−１が動作し、これに連動して、リレー回路２５の第５のリレーＲｙ５のリレー接点Ｒｙ５−１，Ｒｙ５−２が動作する。よって、入力電流供給線路２２が閉回路を形成し、回路内に第２の電流（中電流）Ｉｉｎ２が流れる（０．１秒間）。
【００６０】
そして、入力電流選択部２１のリレー制御部２４は、１分間の待機状態に移行する（ステップＳ９）。この１分間の間に、電流判定回路３は、零相変流器ＺＣＴの特性判定のために、零相変流器ＺＣＴから検出された零相電流Ｉ０をＲＡＭ９１又はバッファ９３に記憶する処理を行う。
【００６１】
入力電流発生回路２は、再び、地絡過電圧が発生していないかを地絡過電圧継電器６４Ｖ１が動作しているか否かで判断する（ステップＳ１０）。地絡過電圧継電器６４Ｖ１が動作しているとき（Ｓ１０でＹＥＳのとき）、入力電流選択部２１のリレー制御部２４は、５分間の待機状態に移行する（ステップＳ１１）。そして、５分後、再び、地絡過電圧継電器６４Ｖ１が動作しているか否かで判断する（Ｓ１０）。地絡過電圧継電器６４Ｖ１の動作が停止するまで、この処理を繰り返す。
【００６２】
地絡過電圧継電器６４Ｖ１が動作していないとき（Ｓ１０でＮＯのとき）、入力電流選択部２１のリレー制御部２４は、大電流に対応する第３のリレーＲｙ３を０．１秒間動作させるとともに、地絡方向継電器ＤＧ１〜ＤＧ３を０．１秒間ロックさせる（ステップＳ１２）。第３のリレーＲｙ３が動作することにより、第３のリレーＲｙ３のリレー接点Ｒｙ３−１が動作し、これに連動して、リレー回路２５の第６のリレーＲｙ６のリレー接点Ｒｙ６−１，Ｒｙ６−２が動作する。よって、入力電流供給線路２２が閉回路を形成し、回路内に第３の電流（大電流）Ｉｉｎ３が流れる（０．１秒間）。
【００６３】
電流判定回路３は、零相変流器ＺＣＴの特性判定のために、零相変流器ＺＣＴから検出された零相電流Ｉ０をＲＡＭ９１又はバッファ９３に記憶する処理を行う。このようにして、電流判定回路３は、定期的に零相変流器ＺＣＴの特性測定に必要な情報を収集している。
【００６４】
次に、零相変流器ＺＣＴが検出した零相電流Ｉ０からその特性を測定する制御（電流判定回路３の制御）について、図６〜図８を参酌しつつ説明する。
【００６５】
まず、電流判定回路３は、図６に示すように、第１〜第３リレーＲｙ１〜Ｒｙ３（及び、第４〜第６リレーＲｙ４〜Ｒｙ６）が動作する前に、第１〜第３の零相変流器ＺＣＴ１〜ＺＣＴ３から第１の零相電流Ｉ０１ａ，Ｉ０２ａ，Ｉ０３ａを検出して、アナログ入力部５を介してＲＡＭ９１（又はバッファ９３）に記憶する（ステップＳ２０）。このとき、第１〜第３リレーＲｙ１〜Ｒｙ３は、開路（オフ）しており、入力電流発生回路２には、入力電流Ｉｉｎが入力されていない。よって、零相変流器ＺＣＴは、入力電流発生回路２の入力電流供給線路２２に流れる入力電流Ｉｉｎではなく、本来の分岐電線路Ｂ３〜Ｂ５を流れる電流、つまり、分岐電線路Ｂ３〜Ｂ５の対地静電容量Ｃによる充電電流Ｉｃによる第１の零相電流Ｉ０１ａ，Ｉ０２ａ，Ｉ０３ａを検出する。そして、零相変流器ＺＣＴから検出された第１の零相電流Ｉ０１ａ，Ｉ０２ａ，Ｉ０３ａは、ＲＡＭ９１又はバッファ９３に記憶される。
【００６６】
そして、リレー制御部２４が動作して、第４のリレーＲｙ４のリレー接点Ｒｙ４−１，Ｒｙ４−２が閉路（オン）した後（ステップＳ２１でＹＥＳの後）、入力電流選択部２１のリレー制御部２４が小電流に対応する第１のリレーＲｙ１を動作させるとともに、地絡方向継電器ＤＧ１〜ＤＧ３をロックさせている、この０．１秒間の間に、入力電流発生回路２２から第１の電流Ｉｉｎ１を検出する。そして、入力電流発生回路２２から検出された第１の電流Ｉｉｎ１は、第１の入力変換部６１により取り込まれ、ＲＡＭ９１又はバッファ９３に記憶される（ステップＳ２２ａ）。
【００６７】
また、この０．１秒間の間に行われるステップＳ２２ａと平行して、零相変流器ＺＣＴ１〜ＺＣＴ３は、第２の零相電流Ｉ０１ｂ，Ｉ０２ｂ，Ｉ０３ｂを検出する。そして、零相変流器ＺＣＴから検出された第２の零相電流Ｉ０１ｂ，Ｉ０２ｂ，Ｉ０３ｂは、第２の入力変換部６２により取り込まれ、ＲＡＭ９１又はバッファ９３に記憶される（ステップＳ２２ｂ）。
【００６８】
検出値補正部６の第１の検出部６１は、第１の電流Ｉｉｎ１から零相電流の設定値Ｉ０１ｓ，Ｉ０２ｓ，Ｉ０３ｓを算出する（ステップＳ２３ａ）。第２の検出部６２は、ＲＡＭ９１に記憶されている第１の零相電流Ｉ０１ａ，Ｉ０２ａ，Ｉ０３ａと、第２の零相電流Ｉ０１ｂ，Ｉ０２ｂ，Ｉ０３ｂとを取り出し、第１の零相電流Ｉ０１ａ，Ｉ０２ａ，Ｉ０３ａと第２の零相電流Ｉ０１ｂ，Ｉ０２ｂ，Ｉ０３ｂとの差分を算出して、これを補正値ΔＩ０１ｃ，ΔＩ０２ｃ，ΔＩ０３ｃとする（ステップＳ２３ｂ）。
【００６９】
差分算出部７は、零相電流の設定値Ｉ０１ｓ，Ｉ０２ｓ，Ｉ０３ｓと、検出値補正部６で算出された零相電流の補正値ΔＩ０１ｃ，ΔＩ０２ｃ，ΔＩ０３ｃと、を比較して、その差分値ΔＩ０１，ΔＩ０２，ΔＩ０３を算出する（ステップＳ２４）。
【００７０】
表示制御部９４は、この差分値ΔＩ０１，ΔＩ０２，ΔＩ０３を、表示装置４に表示させるとともに、ＲＡＭ９１又はバッファ９３に記憶する（ステップＳ２５）。
【００７１】
次に、電流判定回路３は、図７に示すように、第１リレーＲｙ１（及び、第４リレーＲｙ４）が開路（オフ）して、第１〜第６のリレーＲｙ１〜Ｒｙ６のすべてが開路（オフ）している間に、再び、第１〜第３の零相変流器ＺＣＴ１〜ＺＣＴ３から第１の零相電流Ｉ０１ａ，Ｉ０２ａ，Ｉ０３ａを検出して、アナログ入力部５を介してＲＡＭ９１（又はバッファ９３）に記憶する（ステップＳ２６）。
【００７２】
そして、リレー制御部２４が動作して、第５のリレーＲｙ５のリレー接点Ｒｙ５−１，Ｒｙ５−２が閉路（オン）した後（ステップＳ２７でＹＥＳの後）、０．１秒間の間に、入力電流発生回路２２から第２の電流Ｉｉｎ２を検出する。そして、入力電流発生回路２２から検出された第２の電流Ｉｉｎ２は、第１の入力変換部６１により取り込まれ、ＲＡＭ９１又はバッファ９３に記憶される（ステップＳ２８ａ）。
【００７３】
また、この０．１秒間の間に行われるステップＳ２８ａと平行して、零相変流器ＺＣＴ１〜ＺＣＴ３は、第２の零相電流Ｉ０１ｂ，Ｉ０２ｂ，Ｉ０３ｂを検出する。そして、零相変流器ＺＣＴから検出された第２の零相電流Ｉ０１ｂ，Ｉ０２ｂ，Ｉ０３ｂは、第２の入力変換部６２により取り込まれ、ＲＡＭ９１又はバッファ９３に記憶される（ステップＳ２８ｂ）。
【００７４】
検出値補正部６の第１の検出部６１は、第２の電流Ｉｉｎ２から零相電流の設定値Ｉ０１ｓ，Ｉ０２ｓ，Ｉ０３ｓを算出する（ステップＳ２９ａ）。第２の検出部６２は、ＲＡＭ９１に記憶されている第１の零相電流Ｉ０１ａ，Ｉ０２ａ，Ｉ０３ａと、第２の零相電流Ｉ０１ｂ，Ｉ０２ｂ，Ｉ０３ｂとを取り出し、第１の零相電流Ｉ０１ａ，Ｉ０２ａ，Ｉ０３ａと第２の零相電流Ｉ０１ｂ，Ｉ０２ｂ，Ｉ０３ｂとの差分を算出して、これを補正値ΔＩ０１ｃ，ΔＩ０２ｃ，ΔＩ０３ｃとする（ステップＳ２９ｂ）。
【００７５】
差分算出部７は、零相電流の設定値Ｉ０１ｓ，Ｉ０２ｓ，Ｉ０３ｓと、検出値補正部６で算出された零相電流の補正値ΔＩ０１ｃ，ΔＩ０２ｃ，ΔＩ０３ｃと、を比較して、その差分値ΔＩ０１，ΔＩ０２，ΔＩ０３を算出する（ステップＳ３０）。
【００７６】
表示制御部９４は、この差分値ΔＩ０１，ΔＩ０２，ΔＩ０３を、表示装置４に表示させるとともに、ＲＡＭ９１又はバッファ９３に記憶する（ステップＳ３１）。
【００７７】
次に、電流判定回路３は、図８に示すように、第３リレーＲｙ３（及び、第６リレーＲｙ６）が開路（オフ）して、第１〜第６のリレーＲｙ１〜Ｒｙ６のすべてが開路（オフ）している間に、再び、第１〜第３の零相変流器ＺＣＴ１〜ＺＣＴ３から第１の零相電流Ｉ０１ａ，Ｉ０２ａ，Ｉ０３ａを検出して、アナログ入力部５を介してＲＡＭ９１（又はバッファ９３）に記憶する（ステップＳ３２）。
【００７８】
そして、リレー制御部２４が動作して、第６のリレーＲｙ６のリレー接点Ｒｙ６−１，Ｒｙ６−２が閉路（オン）した後（ステップＳ３３でＹＥＳの後）、０．１秒間の間に、入力電流発生回路２２から第３の電流Ｉｉｎ３を検出する。そして、入力電流発生回路２２から検出された第３の電流Ｉｉｎ３は、第１の入力変換部６１により取り込まれ、ＲＡＭ９１又はバッファ９３に記憶される（ステップＳ３４ａ）。
【００７９】
また、この０．１秒間の間に行われるステップＳ３４ａと平行して、零相変流器ＺＣＴ１〜ＺＣＴ３は、第２の零相電流Ｉ０１ｂ，Ｉ０２ｂ，Ｉ０３ｂを検出する。そして、零相変流器ＺＣＴから検出された第２の零相電流Ｉ０１ｂ，Ｉ０２ｂ，Ｉ０３ｂは、第２の入力変換部６２により取り込まれ、ＲＡＭ９１又はバッファ９３に記憶される（ステップＳ３４ｂ）。
【００８０】
検出値補正部６の第１の検出部６１は、第２の電流Ｉｉｎ２から零相電流の設定値Ｉ０１ｓ，Ｉ０２ｓ，Ｉ０３ｓを算出する（ステップＳ３５ａ）。第２の検出部６２は、ＲＡＭ９１に記憶されている第１の零相電流Ｉ０１ａ，Ｉ０２ａ，Ｉ０３ａと、第２の零相電流Ｉ０１ｂ，Ｉ０２ｂ，Ｉ０３ｂとを取り出し、第１の零相電流Ｉ０１ａ，Ｉ０２ａ，Ｉ０３ａと第２の零相電流Ｉ０１ｂ，Ｉ０２ｂ，Ｉ０３ｂとの差分を算出して、これを補正値ΔＩ０１ｃ，ΔＩ０２ｃ，ΔＩ０３ｃとする（ステップＳ３５ｂ）。
【００８１】
差分算出部７は、零相電流の設定値Ｉ０１ｓ，Ｉ０２ｓ，Ｉ０３ｓと、検出値補正部６で算出された零相電流の補正値ΔＩ０１ｃ，ΔＩ０２ｃ，ΔＩ０３ｃと、を比較して、その差分値ΔＩ０１，ΔＩ０２，ΔＩ０３を算出する（ステップＳ３６）。
【００８２】
表示制御部９４は、この差分値ΔＩ０１，ΔＩ０２，ΔＩ０３を、表示装置４に表示させるとともに、ＲＡＭ９１又はバッファ９３に記憶する（ステップＳ３７）。
【００８３】
そして、判定部８は、差分算出部７で算出された零相電流Ｉ０の差分値ΔＩ０１，ΔＩ０２，ΔＩ０３の大きさから、零相変流器ＺＣＴにより検出される零相電流Ｉ０として許容可能である入力許容電流Ｉｉｎｏの大きさを判定する。つまり、判定部８は、零相電流の差分値ΔＩ０１，ΔＩ０２，ΔＩ０３の大きさが、第１〜第３の地絡方向継電器ＤＧ１〜ＤＧ３を動作させる動作範囲に収まっているものを判定し、その差分値ΔＩ０１，ΔＩ０２，ΔＩ０３を算出する基となった入力電流Ｉｉｎ（第１〜第３の電流Ｉｉｎ１〜Ｉｉｎ３）を入力許容電流Ｉｉｎｏの大きさと判定する。
【００８４】
例えば、差分値ΔＩ０１が地絡方向継電器ＤＧ１を動作させる動作範囲に収まっていると判定した場合、第１の電流Ｉｉｎ１を入力許容電流Ｉｉｎｏとみなし、第１の電流Ｉｉｎ１と同等の地絡電流が流れる可能性が想定される第１の遮断区間で正常に地絡を検出することができる感度が維持できていると判定できる。
【００８５】
また、差分値ΔＩ０２が地絡方向継電器ＤＧ１を動作させる動作範囲に収まっていると判定した場合、第２の電流Ｉｉｎ２を入力許容電流Ｉｉｎｏとみなし、第２の電流Ｉｉｎ２と同等の地絡電流が流れる可能性が想定される第２の遮断区間で正常に地絡を検出することができる感度が維持できていると判定できる。
【００８６】
また、差分値ΔＩ０３が地絡方向継電器ＤＧ１を動作させる動作範囲に収まっていると判定した場合、第３の電流Ｉｉｎ３を入力許容電流Ｉｉｎｏとみなし、第３の電流Ｉｉｎ３と同等の地絡電流が流れる可能性が想定される第３の遮断区間で正常に地絡を検出することができる感度が維持できていると判定できる。
【００８７】
このように、特性判定回路３は、零相電流の設定値Ｉ０ｓからの特性の変化を零相電流の差分値ΔＩ０として差分算出部７で算出し、判定部８がこの差分値ΔＩ０の大きさから零相変流器ＺＣＴにより検出される零相電流Ｉ０として許容可能な入力許容電流Ｉｉｎｏの範囲を判定することができる。
【００８８】
また、特性判定回路３は、入力電流Ｉｉｎを零相変流器ＺＣＴに入力する前に零相変流器ＺＣＴから検出された零相電流の検出値である第２の零相電流の検出値Ｉ０ｂで補正された零相電流の検出値（補正値）に基づいて、零相電流の差分値ΔＩ０を算出可能であり、より特性の変化の影響を受けていない正確な検出値に基づき入力許容電流Ｉｉｎｏの範囲を判定することができる。
【００８９】
なお、本発明は、上記実施形態に限定されず、本発明の要旨を逸脱しない範囲で様々な変更が可能である。
【００９０】
本実施形態に係る零相変流器ＺＣＴの特性測定装置１は、複数のＺＣＴから零相電流Ｉ０を測定する例を説明したが、これに限定されるものではない。例えば、零相変流器ＺＣＴの特性測定装置は、各零相変流器ＺＣＴごとに１つずつ設けられていてもよい。
【００９１】
本実施形態に係る零相変流器ＺＣＴの特性測定装置１は、図１に示すように、配電システムがループ配電方式である例を説明したが、これに限定されるものではない。例えば、本発明に係る電流検出器の特性測定装置は、変電所につながる幹線から樹枝状に設けられる分岐線から各需要設備に配電する樹枝状配電方式（放射状方式）や、各需要設備に常時配電する本線と該本線が事故等で配電できないときに配電する予備線とを備える本線・予備線配電方式、同一変電所から複数回線で配電するネットワーク配電方式（スポットネットワーク配電方式、レギュラネットワーク配電方式）などの配電システムに適用されてもよい。これらの配電システムにおいても、電流検出器の特性に応じてその動作範囲を適宜変更することに利用できる。
【００９２】
本実施形態に係る零相変流器ＺＣＴの特性測定装置１は、電線路Ｂ１〜Ｂ８の地絡を検知可能な状態で、零相変流器ＺＣＴの特性測定可能な例を説明したが、これに限定されるものではない。例えば、特性測定装置は、電線路を停止した状態で測定するようにしてもよい。このような場合、本実施形態に係る特性判定回路３は、地絡過電圧継電器６４Ｖ１の動作を確認しつつ特性の測定を実施していたが、この確認を省略することができ、１回あたりの特性の測定時間を短縮することができる。
【００９３】
本実施形態に係る零相変流器ＺＣＴの特性測定装置１は、入力電流発生回路２が零相変流器ＺＣＴに入力電流供給線路２２を設け、当該入力電流供給線路２２に入力電流Ｉｉｎを流すことによって、零相変流器ＺＣＴに流す入力電流Ｉｉｎを発生させる例を説明したが、これに限定されるものではない。例えば、入力電流発生回路は、電線路に直接入力電流を流すことにより、電流検出器に流す入力電流を発生させてもよい。
【００９４】
本実施形態に係る零相変流器ＺＣＴの特性測定装置１は、入力電流発生回路２が入力電流Ｉｉｎを３段階に切り換える例、つまり、第１の電流（小電流）と、第２の電流（中電流）と、第３の電流（大電流）とに切り換える例を説明したが、これに限定されるものではない。例えば、入力電流発生回路は、２以上の入力電流を切り換え可能に構成されていてもよい。
【００９５】
本実施形態に係る零相変流器ＺＣＴの特性測定装置１は、入力電流Ｉｉｎをシーケンス回路で切り換える例を説明したが、これに限定されるものではない。例えば、入力電流は、ＰＬＣ（プログラマブルロジック回路）やシーケンサなどで切り換えるようにしてもよい。
【符号の説明】
【００９６】
１…特性測定装置、２…入力電流発生回路、２１…入力電流選択部、２４…リレー制御部（入力電流遮断部）、２４ａ…制御部、２５…リレー回路、２２…入力電流供給線路、２３…入力電流発生部、３…電流判定回路（特性判定回路）、４…表示装置、５…アナログ入力部（検出値受信部）、５１…入力変換器、５１ａ…第１の入力変換部、５１ｂ…第２の入力変換部、５２…バンドパスフィルタ（ＢＰＦ）、５３…サンプリングホールド回路（Ｓ／Ｈ回路）、５４…マルチプレクサ回路（信号切換回路；ＭＰＸ回路）、５５…Ａ／Ｄ変換器、６…検出値補正部、６１…第１の補正部、６２…第２の補正部、７…差分算出部、８…判定部、９１…ＲＡＭ、９２…ＲＯＭ、９３…バッファ、９４…表示制御部、９５…Ｄ／Ｉ（デジタル入力端子）、９６…Ｄ／Ｏ（デジタル出力端子）、９７…バス（伝送路）、ＣＢ１〜ＣＢ８…遮断器、Ｌ３１〜Ｌ８３…需要設備、ＤＭ３１〜ＤＭ８２…区分開閉器、ＤＭ９１〜ＤＭ９３…結合開閉器、Ｃ，Ｃ３１〜Ｃ８３…対地静電容量、Ｂ１〜Ｂ２…第１〜第２の配電線路、Ｂ３〜Ｂ８…第１〜第６の分岐電線路、ＧＰＴ…接地用変圧器、ＺＣＴ１〜ＺＣＴ３…第１〜第３の零相変流器（電流検出器）、ＤＧ１〜ＤＧ３…第１〜第３の地絡方向継電器、ＤＣ…制御電源、ＡＣ…交流電源、Ｒｙ１〜Ｒｙ６…第１〜第６リレー、Ｒｙ１−１〜Ｒｙ３−１…第１〜第３リレーのリレー接点、Ｒｙ４−１〜Ｒｙ６−２…第４〜第６リレーのリレー接点、Ｒ４〜Ｒ６…第１〜第３の抵抗、６４Ｖ１，６４Ｖ２…第１及び第２の地絡過電圧継電器、６４Ｖ１−１…第１の地絡過電圧継電器のリレー接点、１０Ｇ…地絡順序遮断装置、Ｖ０…零相電圧、Ｉ０，Ｉ０１，Ｉ０２…零相電流（の検出値）Ｉｉｎ…入力電流、Ｉｉｎ１〜Ｉｉｎ３…第１〜第３の電流、Ｉｉｎｎｏ…入力許容電流、Ｉ０ａ，Ｉ０１ａ〜Ｉ０３ａ…第１の零相電流の検出値、Ｉ０ｂ，Ｉ０１ｂ〜Ｉ０３ｂ…第２の零相電流の検出値、ΔＩ０ｃ，ΔＩ０１ｃ〜ΔＩ０３ｃ…零相電流の補正値、Ｉ０ｓ，Ｉ０１ｓ〜Ｉ０３ｓ…第１〜第３の零相変流器の設定値、ΔＩ０，ΔＩ０１〜ΔＩ０３…零相電流の差分値、θ…零相電流の位相差
【図１】
2013127421.tif 000004
【図２】
2013127421.tif 000005
【図３】
2013127421.tif 000006
【図４】
2013127421.tif 000007
【図５】
2013127421.tif 000008
【図６】
2013127421.tif 000009
【図７】
2013127421.tif 000010
【図８】
2013127421.tif 000011
【図９】
2013127421.tif 000012
【図１０】
2013127421.tif 000013